(57)【要約】【課題】 撮影時における撮影条件の設定を見本画像を選択するだけで可能とするカメラ装置において、見本画像のデータに統一性を確保しつつ、見本画像の多様化を図ることを可能とする。【解決手段】 ＣＤ−ＲＯＭ等からカメラ装置に見本画像のデータ（１２０）を取り込んだとき、又は、取り込んだデータに基づく見本画像を表示するとき、そのデータ（１２０）に予め付されているシリアルナンバー（１２０ｂ）を、カメラ装置における他のデータに付されている番号に連続する番号に書き換える。また、使用するカメラ装置の操作系に対応する操作ガイド（１２ｅ）を付加する。撮影条件の設定に際して見本画像を表示するとき、同時に表示されるシーン番号を連続した番号とすることができる。また、初期状態で用意されていた見本画像が表示されていると同一の操作性が確保できる。【選択図】図９
2005039862.tif 000002
【特許請求の範囲】
【請求項１】
複数の見本画像を表示し、表示した見本画像の中から所望する見本画像を使用者に選択させ、選択された見本画像に対応する動作内容の撮影ードを設定するカメラ装置において、
外部の記録媒体に複数記録されているデータであって、各々が所定の撮影モードに対応する見本画像、及び前記動作内容を示す設定パラメータ、見本画像の選択時に使用される付加情報を含む撮影モード設定データが、必要に応じて選択的に記憶される記憶手段と、
前記外部の記録媒体に記録されていた撮影モード設定データに、前記記憶手段に記憶された状態における使用環境に応じた新たな付加情報を付与する処理を行う付加処理手段と
を備えたことを特徴とするカメラ装置。
【請求項２】
前記付加処理手段による新たな付加情報の付与に関する処理は、前記撮影条件に予め付与されている付加情報の書き換え処理であることを特徴とする請求項１記載のカメラ装置。
【請求項３】
前記付加情報は、各見本画像と共に表示され見本画像の選択画面を構成する画像情報であることを特徴とする請求項１又は２記載のカメラ装置。
【請求項４】
前記付加情報は、各見本画像に付される連続番号を含むことを特徴とする請求項２又は３記載のカメラ装置。
【請求項５】
前記付加情報は、装置の構造に対応した見本画像の選択操作に関する操作案内を含むことを特徴とする請求項１乃至４いずれか記載のカメラ装置。
【請求項６】
複数の見本画像を表示し、表示した見本画像の中から所望する見本画像を使用者に選択させ、選択された見本画像に対応する動作内容の撮影モードを設定するカメラ装置に使用される記憶手段に、所定の他の記録手段に記憶されているとともに、所定の撮影モードに対応する前記見本画像、及び前記動作内容を示す設定パラメータ、見本画像の選択時に使用される付加情報を含む撮影モード設定データを記憶させるデータ供給装置において、
前記撮影モード設定データの、前記記憶手段に記憶された状態における使用環境を確認する確認手段と、
この確認手段により確認された使用環境に応じた新たな付加情報を、前記読み出し手段により読み出された撮影モード設定データに付加する付加処理手段と
を備えたことを特徴とするデータ供給装置。
【請求項７】
所定の撮影モードに対応する見本画像、及び前記動作内容を示す設定パラメータ、見本画像の選択時に使用される付加情報を含む撮影モード設定データを複数記憶する記憶手段を備えるとともに、この記憶手段に記憶されている撮影モード設定データを構成する見本画像を表示し、表示した見本画像の中から所望する見本画像を使用者に選択させ、選択された見本画像と共に撮影モード設定データを構成する設定パラメータに示される動作内容の撮影モードを設定するカメラ装置と、
所定の記録手段に記録されている前記撮影モード設定データの、前記記憶手段に記憶された状態における使用環境を確認する確認手段と、この確認手段により確認された使用環境に応じた新たな付加情報を、前記撮影モード設定データに付加する付加処理手段とを備えたデータ供給装置と
からなることを特徴とするカメラ・システム。
【請求項８】
外部の記録媒体から必要に応じて選択的に取り込まれたデータであって、所定の撮影モードに対応する見本画像、及び前記動作内容を示す設定パラメータ、見本画像の選択時に使用される付加情報を含む複数の撮影モード設定データを記憶する記憶手段を備え、この記憶手段に記憶されている撮影モード設定データを構成する見本画像を表示し、表示した見本画像の中から所望する見本画像を使用者に選択させ、選択された見本画像と共に撮影モード設定データを構成する設定パラメータに示される動作内容の撮影モードを設定するカメラ装置における前記撮影モード設定データの利用方法において、
前記見本画像の表示に先立ち、撮影モード設定データに、前記記憶手段に記憶された状態における使用環境に応じた新たな付加情報を付与することを特徴とするデータ利用方法。
【請求項９】
複数の見本画像を表示し、表示した見本画像の中から所望する見本画像を使用者に選択させ、選択された見本画像に対応する動作内容の撮影モードを設定するカメラ装置に使用されるとともに、所定の撮影モードに対応する前記見本画像、及び前記動作内容を示す設定パラメータ、見本画像の選択時に使用される付加情報を含む撮影モード設定データを記憶する記憶手段に、外部の記録媒体に複数記録されている前記撮影モード設定データを記憶させるデータ供給方法において、
前記記憶手段へ新たな撮影モード設定データを記憶させるとき、前記記憶手段に記憶された状態における使用環境を確認し、確認した使用環境に応じた新たな付加情報を前記新たな撮影モード設定データに付与することを特徴とするデータ供給方法。
【請求項１０】
外部の記録媒体から必要に応じて選択的に取り込まれたデータであって、所定の撮影モードに対応する見本画像、及び前記動作内容を示す設定パラメータ、見本画像の選択時に使用される付加情報を含む複数の撮影モード設定データを記憶する記憶手段を備え、この記憶手段に記憶されている撮影モード設定データを構成する見本画像を表示し、表示した見本画像の中から所望する見本画像を使用者に選択させ、選択された見本画像と共に撮影モード設定データを構成する設定パラメータに示される動作内容の撮影モードを設定するカメラ装置が有するコンピュータに、前記見本画像の表示に先立ち、撮影モード設定データに、前記記憶手段に記憶された状態における使用環境に応じた新たな付加情報を付与する処理を実行させるためのプログラムを記録したコンピュータ読み取り可能な記録媒体。
【請求項１１】
複数の見本画像を表示し、表示した見本画像の中から所望する見本画像を使用者に選択させ、選択された見本画像に対応する動作内容の撮影モードを設定するカメラ装置に使用されるとともに、所定の撮影モードに対応する見本画像、及び前記動作内容を示す設定パラメータ、見本画像の選択時に使用される付加情報を含む撮影モード設定データが記憶される記憶手段に対し、外部の記録媒体に複数記録されている前記撮影モード設定データを新たに記憶させるためのプログラムであって、コンピュータに、前記記憶手段に記憶された状態における使用環境を確認する処理と、確認した使用環境に応じた新たな付加情報を前記新たな撮影モード設定データに付与する処理とを実行させるためのプログラムを記録したコンピュータ読み取り可能な記録媒体。
【発明の詳細な説明】
【技術分野】
【０００１】
本発明は、主として見本画像を用いた撮影条件の設定が可能なカメラ装置に関する。
【背景技術】
【０００２】
従来、電子スチルカメラにおいては、撮影時における撮影条件（装置の動作内容）の設定、例えばシャッタースピードや絞り値の設定を見本画像を選択するだけで可能とする機能を有するものがある。これは、複数の見本画像、各見本画像に対応するシャッタースピードや絞り値などの複数の設定パラメータを予め用意しておき、撮影者の要求に応じて複数の見本画像を、それに付けられた番号、タイトル、撮影時のアドバイス情報などの付加情報と共に選択画像として液晶表示装置に表示し、撮影者に所望の見本画像を選択させた後、選択された見本画像に対応する設定パラメータに従い撮影条件を設定するというものである。
【０００３】
かかる機能を有する電子スチルカメラでは、撮影者が、撮影しようとしている被写体と同様のシーン、或いは好みに応じた雰囲気の撮影結果を表す見本画像を選択するだけで、被写体毎の適切な撮影条件や、好みに応じた撮影結果が得られる撮影条件が簡単に設定できる。
【発明の開示】
【発明が解決しようとする課題】
【０００４】
ここで、前述した見本画像には、その時々の撮影環境、被写体（のシーン）の種類、使用者の好みに対応できるように多数用意しておくことが望ましいが、その場合には、使用者によっては使用されることのない見本画像の数も増すことにより、見本画像を選択する（探す）時の作業性を低下させる要因となる。かかることから、多数の見本画像、及びそれらに付随する設定パラメータ等の撮影モード設定データをＣＤ−ＲＯＭ等の他の記録媒体を介して使用者に提供するとともに、データ電子スチルカメラに、ＣＤ−ＲＯＭから必要に応じ選択的に読み出した見本画像に関するデータを取り込ませる機能を設けることが考えられている。
【０００５】
しかしながら、その場合には、例えば外部から取り込むある撮影モード設定データと他の撮影モード設定データとの間、及びそれらと電子スチルカメラ側に既存する撮影モード設定データとの間で、それらの見本画像に付けられている番号番号が不連続になる等、一括して使用される複数の撮影モード設定データにおける統一性が阻害される。つまり、撮影モードの設定時つまり見本画像の選択時に使用者に違和感を与えたり、操作性を低下させる要因となるという新たな問題があった。
【０００６】
本発明は、かかる従来の課題に鑑みてなされたものであり、見本画像を含む複数の撮影モード設定データに統一性を確保しつつ、見本画像の多様化を図ることができるカメラ装置、データ供給装置及びカメラ・システム、並びに方法及び記録媒体を提供することを目的とする。
【課題を解決するための手段】
【０００７】
前記課題を解決するために請求項１の発明にあっては、複数の見本画像を表示し、表示した見本画像の中から所望する見本画像を使用者に選択させ、選択された見本画像に対応する動作内容の撮影モードを設定するカメラ装置において、外部の記録媒体に複数記録されているデータであって、各々が所定の撮影モードに対応する見本画像、及び前記動作内容を示す設定パラメータ、見本画像の選択時に使用される付加情報を含む撮影モード設定データが、必要に応じて選択的に記憶される記憶手段と、前記外部の記録媒体に記録されていた撮影モード設定データに、前記記憶手段に記憶された状態における使用環境に応じた新たな付加情報を付与する処理を行う付加処理手段とを備えたものとした。
【０００８】
かかる構成において、記憶手段には、外部の記録媒体に記憶されている撮影モード設定データが必要に応じて記憶手段に記憶される。しかも記憶される新たな撮影モード設定データには、付加処理手段によって、記憶手段に記憶された状態における使用環境に応じた新たな付加情報が付与される。つまり撮影モードの設定時に一括して使用される複数の撮影モード設定データに統一性（一定の規則性や同一性など）を確保することができる。
【０００９】
また、請求項２の発明にあっては、前記付加処理手段による新たな付加情報の付与に関する処理は、前記撮影条件に予め付与されている付加情報の書き換え処理であるものとした。
【００１０】
かかる構成において、記憶手段に記憶される新たな撮影モード設定データが有する付加情報は、付加処理手段によって、記憶手段に記憶された状態における使用環境に応じた付加情報に書き換えられる。
【００１１】
また、請求項３の発明にあっては、前記付加情報は、各見本画像と共に表示され見本画像の選択画面を構成する画像情報であるものとした。
【００１２】
また、請求項４の発明にあっては、前記付加情報は、各見本画像に付される連続番号を含むものとした。
【００１３】
また、請求項５の発明にあっては、前記付加情報は、装置の構造に対応した見本画像の選択操作に関する操作案内を含むものとした。
【００１４】
また、請求項６の発明にあっては、複数の見本画像を表示し、表示した見本画像の中から所望する見本画像を使用者に選択させ、選択された見本画像に対応する動作内容の撮影モードを設定するカメラ装置に使用される記憶手段に、所定の他の記録手段に記憶されているとともに、所定の撮影モードに対応する前記見本画像、及び前記動作内容を示す設定パラメータ、見本画像の選択時に使用される付加情報を含む撮影モード設定データを記憶させるデータ供給装置において、前記撮影モード設定データの、前記記憶手段に記憶された状態における使用環境を確認する確認手段と、この確認手段により確認された使用環境に応じた新たな付加情報を、前記読み出し手段により読み出された撮影モード設定データに付加する付加処理手段とを備えたものとした。
【００１５】
かかる構成においては、読み出し手段により外部の記録媒体から撮影モード設定データが読み出されると、読み出された撮影モード設定データがカメラ装置に使用される記憶手段に記憶された状態における使用環境が確認手段により確認され、確認された使用環境に応じた新たな付加情報が、付加処理手段によって、読み出された撮影モード設定データに付加された後、その撮影モード設定データが記憶手段に書き込まれる。したがって、カメラ装置の記憶手段に、外部の記録媒体に記憶されている撮影モード設定データを必要に応じて記憶させることができる。しかも記憶手段に記憶させた、撮影モードの設定時に一括して使用される複数の撮影モード設定データに統一性（一定の規則性や同一性など）を確保することができる。
【００１６】
また、請求項７の発明にあっては、所定の撮影モードに対応する見本画像、及び前記動作内容を示す設定パラメータ、見本画像の選択時に使用される付加情報を含む撮影モード設定データを複数記憶する記憶手段を備えるとともに、この記憶手段に記憶されている撮影モード設定データを構成する見本画像を表示し、表示した見本画像の中から所望する見本画像を使用者に選択させ、選択された見本画像と共に撮影モード設定データを構成する設定パラメータに示される動作内容の撮影モードを設定するカメラ装置と、所定の記録手段に記録されている前記撮影モード設定データの、前記記憶手段に記憶された状態における使用環境を確認する確認手段と、この確認手段により確認された使用環境に応じた新たな付加情報を、前記撮影モード設定データに付加する付加処理手段とを備えたデータ供給装置とからなるものとした。
【００１７】
かかる構成において、データ供給装置は、所定の記録媒体から撮影モード設定データを読み出し、読み出した撮影モード設定データに、それが記憶手段に記憶された状態における使用環境に応じた新たな付加情報を付加した後、カメラ装置の記憶手段に書き込む。したがって、カメラ装置の記憶手段に、外部の記録媒体に記憶されている撮影モード設定データを必要に応じて記憶させることができる。しかも記憶手段に記憶させた、撮影モードの設定時に一括して使用される複数の撮影モード設定データに統一性（一定の規則性や同一性など）を確保することができる。
【００１８】
また、請求項８の発明にあっては、外部の記録媒体から必要に応じて選択的に取り込まれたデータであって、所定の撮影モードに対応する見本画像、及び前記動作内容を示す設定パラメータ、見本画像の選択時に使用される付加情報を含む複数の撮影モード設定データを記憶する記憶手段を備え、この記憶手段に記憶されている撮影モード設定データを構成する見本画像を表示し、表示した見本画像の中から所望する見本画像を使用者に選択させ、選択された見本画像と共に撮影モード設定データを構成する設定パラメータに示される動作内容の撮影モードを設定するカメラ装置における前記撮影モード設定データの利用方法において、前記見本画像の表示に先立ち、撮影モード設定データに、前記記憶手段に記憶された状態における使用環境に応じた新たな付加情報を付与するようにした。
【００１９】
かかる方法によれば、記憶手段に記憶されている撮影モード設定データが、外部の記録媒体から取り込まれたものであっても、撮影モードの設定時に一括して使用される各々の撮影モード設定データには、各見本画像が表示される以前において統一性（一定の規則性や同一性など）を確保することができる。
【００２０】
また、請求項９の発明にあっては、複数の見本画像を表示し、表示した見本画像の中から所望する見本画像を使用者に選択させ、選択された見本画像に対応する動作内容の撮影モードを設定するカメラ装置に使用されるとともに、所定の撮影モードに対応する前記見本画像、及び前記動作内容を示す設定パラメータ、見本画像の選択時に使用される付加情報を含む撮影モード設定データを記憶する記憶手段に、外部の記録媒体に複数記録されている前記撮影モード設定データを記憶させるデータ供給方法において、前記記憶手段へ新たな撮影モード設定データを記憶させるとき、前記記憶手段に記憶された状態における使用環境を確認し、確認した使用環境に応じた新たな付加情報を前記新たな撮影モード設定データに付与するようにした。
【００２１】
かかる方法によれば、カメラ装置の記憶手段に、外部の記録媒体に記憶されている撮影モード設定データを必要に応じて記憶させることができ。しかも記憶手段に記憶させた、撮影モードの設定時に一括して使用される複数の撮影モード設定データに統一性（一定の規則性や同一性など）を確保することができる。
【００２２】
また、請求項１０の発明にあっては、外部の記録媒体から必要に応じて選択的に取り込まれたデータであって、所定の撮影モードに対応する見本画像、及び前記動作内容を示す設定パラメータ、見本画像の選択時に使用される付加情報を含む複数の撮影モード設定データを記憶する記憶手段を備え、この記憶手段に記憶されている撮影モード設定データを構成する見本画像を表示し、表示した見本画像の中から所望する見本画像を使用者に選択させ、選択された見本画像と共に撮影モード設定データを構成する設定パラメータに示される動作内容の撮影モードを設定するカメラ装置が有するコンピュータに、前記見本画像の表示に先立ち、撮影モード設定データに、前記記憶手段に記憶された状態における使用環境に応じた新たな付加情報を付与する処理を実行させるためのプログラムを記録したコンピュータ読み取り可能な記録媒体とした。
【００２３】
また、請求項１１の発明にあっては、複数の見本画像を表示し、表示した見本画像の中から所望する見本画像を使用者に選択させ、選択された見本画像に対応する動作内容の撮影モードを設定するカメラ装置に使用されるとともに、所定の撮影モードに対応する見本画像、及び前記動作内容を示す設定パラメータ、見本画像の選択時に使用される付加情報を含む撮影モード設定データが記憶される記憶手段に対し、外部の記録媒体に複数記録されている前記撮影モード設定データを新たに記憶させるためのプログラムであって、コンピュータに、前記記憶手段に記憶された状態における使用環境を確認する処理と、確認した使用環境に応じた新たな付加情報を前記新たな撮影モード設定データに付与する処理とを実行させるためのプログラムを記録したコンピュータ読み取り可能な記録媒体とした。
【発明の効果】
【００２４】
以上説明したように本発明においては、カメラ装置の記憶手段には、外部の記録媒体に記憶されている撮影モード設定データを必要に応じて記憶させることができ、しかも記憶手段に記憶させた、撮影モードの設定時に一括して使用される複数の撮影モード設定データに統一性（一定の規則性や同一性など）を確保することができるようにした。
【００２５】
よって、撮影モードの設定時つまり見本画像の選択時に違和感を与えることなく、また良好な操作性を確保しつつ、見本画像の多様化を図ることが可能となる。
【発明を実施するための最良の形態】
【００２６】
以下、本発明の一実施の形態を図にしたがって説明する。
【００２７】
（第１の実施の形態）
図１は、本発明のカメラ装置である電子スチルカメラ１の外観を示す図であって、同図（ａ）は背面図、同図（ｂ）は平面図、同図（ｃ）は正面図である。
【００２８】
この電子スチルカメラ１は、従来技術で説明した見本画像の選択による撮影条件の設定を可能とする動作モード（シーンセレクトモード）を有するものであって、本体の正面側には固定レンズ４、背面側にはＴＦＴ液晶モニター１５が配置されるとともに、光学ファインダ５１とストロボ１６とを有している。また、本体の背面部及び上面部には、電源スイッチ５２、シャッターキー５３、ズーム操作スイッチ５４、録画モード（ＲＥＣモード）と再生モード（ＰＬＡＹモード）の切り替え行う動作モード切り替えスイッチ５５、液晶モニタ・スイッチ５６、フラッシュ・キー５７、セルフタイマ・キー５８、メニュー・キー５９の各種スイッチが設けられている。
【００２９】
図２は、前記電子スチルカメラ１の電気的構成の概略を示すブロック構成図であり、電子スチルカメラ１は、撮像手段であるＣＣＤ２により撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えたＭＰＵ３を中心に構成されている。ＣＣＤ２の受光面には、固定レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバー８が出力する駆動信号が駆動機構７に供給されることにより光軸上を前後に移動する合焦動作を行う。絞り６は、ＭＰＵ３からの制御信号に基づき絞り駆動部９が発生する駆動信号により駆動しＣＣＤ２に入射する被写体像の光量を調整する。
【００３０】
また、ＭＰＵ３には、タイミング信号を発生するＴＧ（Timing Generator）１０が接続されており、ＴＧ１０が発生したタイミング信号に基づきＶドライバー１１（垂直方向ドライバー）がＣＣＤ２を駆動し、それに伴いＣＣＤ２により被写体像の輝度に応じたアナログの撮像信号が出力されユニット回路１２へ送られる。ユニット回路１２は、ＣＣＤ２から出力された撮像信号を保持するＣＤＳと、ＣＤＳから撮像信号を供給されるアナログアンプであるゲイン調整アンプ（ＡＧＣ）と、ゲイン調整アンプに増幅され調整されたアナログの撮像信号をデジタル信号に変換するＡ／Ｄ変換器（ＡＤ）とからなり、ＣＣＤ２の出力信号は、ここで黒レベルを合わせてサンプリングされデジタル信号としてＭＰＵ３に送られる。
【００３１】
また、ＭＰＵ３には電源回路１３と、図１に示した各種のスイッチ群を含む操作キー部１４、前記ＴＦＴ液晶モニター１５、前記ストロボ１６、ＤＲＡＭ１７、ＭＲＯＭ１８、カードドライブ１９が接続されており、カードドライブ１９にはＣＦ（コンパクトフラッシュ（登録商標））カード２０が装着されている。ＣＦカード２０は本発明の記憶手段である着脱自在な記憶媒体、ＤＲＡＭ１７は作業用のメモリであって、ＣＣＤ２からＭＰＵ３に送られたデジタル信号（撮像信号）はＤＲＡＭ１７に一時保存されるとともに、ＭＰＵ３によって各種の画像処理が施された後、最終的には圧縮された映像信号としてＣＦカード２０に記録される。記録された映像信号は、必要に応じてＭＰＵ３に読み出され、伸長処理、輝度信号及び色信号の付加等の処理を経てデジタルビデオ信号やアナログビデオ信号に生成され、ＴＦＴ液晶モニター１５に表示される。すなわちＴＦＴ液晶モニター１５には、録画モードにおいては逐次撮像された画像がスルー画像として表示され、再生モードにおいてはＣＦカード２０に記録された画像データに基づく画像が表示される。
【００３２】
ＭＲＯＭ１８は、ＭＰＵ３における各部の制御及びデータ処理に必要な各種の動作プログラムが記録されたプログラムＲＯＭである。ＭＲＯＭ１８には撮影時の適正な露出値（ＥＶ）に対応する絞り値（Ｆ）とシャッタースピードとの組み合わせを示すプログラム線図を構成するプログラムＡＥデータ等の各種データが格納されている。そしてＭＰＵ３は、前記プログラム線図に従い、シャッター速度である前記ＣＣＤ２の電荷蓄積時間や、前記絞り６の開放度、前記ユニット回路１２のゲイン調整アンプ（ＡＧＣ）のゲイン設定等のＡＥ制御を行うとともに、所定のプログラムに従い前記フォーカスレンズ５を駆動するＡＦ（オートフォーカス）制御を行う。さらに、シャッターキー５３が操作された時（撮影時）には、必要に応じてストロボ１６による撮影補助光の発光、及びその発光量の制御、及び前記シーンセレクトモードによる撮影条件の設定に関する制御を行う。
【００３３】
図３は、前記ＣＦカード２０におけるデータ格納構造を示す図である。同図（ａ）に示すように、ＣＦカード２０には、カードドライブ１９に最初に装着された時点で、その内部に初期見本画像領域２０ａと、ファイル名データ領域２０ｂ、カスタム見本画像領域２０ｃ、撮影画像データ領域２０ｄとが確保されている。撮影画像データ領域２０ｄには、前述したように撮像され圧縮された撮影画像データ１０１が複数記憶されている。また、初期見本画像領域２０ａには、カードドライブ１９に最初に装着された時点で、前記ＭＲＯＭ１８からコピーされた見本画像データ１０２が記憶されている。カスタム見本画像領域２０ｃは、カードドライブ１９に最初に装着された時点で、ＣＦカード２０内に確保される所定のシーン・フォルダを構成する領域であって、外部から供給された後、後述する所定の処理が行われた任意の見本画像データ１０２が記憶されている。また、ファイル名データ領域２０ｂには、カスタム見本画像領域２０ｃに記憶された見本画像データ１０２（本実施の形態では画像ファイル）の全ファイル名が記憶される。
【００３４】
初期見本画像領域２０ａ及びカスタム見本画像領域２０ｃに記憶されている各見本画像データ１０２は本発明の撮影モード設定データであって、図３（ｂ）に示す構造を有している。すなわち見本画像データ１０２は、ＪＰＥＧ形式の画像データであり、選択画面データ１１１と、それに付加されている複数の撮影条件データ１１２とから構成されている。選択画面データ１１１は、前記シーンセレクトモードの設定時にＴＦＴ液晶モニター１５に表示される選択用画像のデータである。図４は、本実施の形態における選択用画像１２０の一例を示した図であり、選択用画像１２０は見本画像エリア１２０ａ、番号表示エリア１２０ｂ、タイトルエリア１２０ｃ、コメントエリア１２０ｄ、操作ガイドエリア１２０ｅによって構成されている。
【００３５】
見本画像エリア１２０ａは、撮影頻度が多いことが予想される種類の被写体（撮影シーン）、例えば各種のポートレート、二人の人物が並ぶツーショット、人と風景、夕日を浴びた山、遊園地、都市の夜景などの見本画像を示する領域であり、番号表示エリア１２０ｂは、各見本画像すなわち各見本画像データ１０２に付されたシリアルナンバーを表示する領域である。タイトルエリア１２０ｃは、「風景と人物を写します。」等のように、前記見本画像がどのようなシーンの撮影に用いればよいのかを示すシーン説明を表示する領域であり、コメントエリア１２０ｄは、「フレームが表示されます。」といった撮影者に対する各種情報を表示する領域、操作ガイドエリア１２０ｅは、シーンセレクトモードで選択用画像１２０が表示されたときにおける装置の操作ガイドを表示する領域である。なお、本実施の形態においては、前記番号表示エリア１２０ｂに表示されるシリアルナンバー（シーン番号）と、操作ガイドエリア１２０ｅに表示される操作ガイドが本発明の付加情報である。
【００３６】
また、前記撮影条件データ１１２は、シャッターキー５３が押された撮影時に制御可能な複数の制御項目（フォーカス、シャッター速度、絞り、ＥＶシフト量、感度、・・・、フラッシュ）の設定内容をそれぞれ示すパラメータである。より具体的には数値データや、スイッチ用のフラグ・データであって、前記選択用画像１２０を構成する見本画像と同様の撮影結果を得るための撮影条件を電子スチルカメラ１に確保するためのデータが予めセットされている。
【００３７】
そして、以上の構成からなる電子スチルカメラ１においては、撮影者の所定のキー操作によってシーンセレクトモードが選択されると、以下のように動作する。
【００３８】
図５は、その際の電子スチルカメラ１の動作を示すフローチャートであり、電子スチルカメラ１は、シーンセレクトモードが選択されると、ＣＦカード２０の前述した初期見本画像領域２０ａ及びカスタム見本画像領域２０ｃの双方に記憶されている見本画像データ１０２に基づく前述した選択用画像１２０をＴＦＴ液晶モニター１５に表示する（ステップＳＡ１）。また、かかる状態では、使用者が所定の選択ボタン（本実施の形態では、ズームボタン５４の［＋］と［−］）が操作されたら、図６に示したように、表示する選択用画像１２０を、それに付与されているシーン番号順に昇順又は降順で見本画像が異なる他の選択用画像１２０に順次切り替える。そして、いずれかの選択用画像１２０が表示された状態でシャッターキー５３（決定キー）が押下されたら（ステップＳＡ２でＹＥＳ）、つまりいずれかの見本画像が選択されたら、表示中の選択用画像１２０（選択画面データ１１１）と共に見本画像データ１０２を構成する前記撮影条件データ１１２に基づき、電子スチルカメラ１における撮影時の撮影条件を設定し、撮影待機状態となる（ステップＳＡ３）。しかる後、シャッターキー５３が押下されたら（ステップＳＡ４でＹＥＳ）、画像データを取り込み（ステップＳＡ５）、取り込んだ画像データをＣＦカード２０の撮影画像データ領域２０ｄに記録する（ステップＳＡ６）。
【００３９】
これにより、撮影者においては、これから撮影しようとする被写体と同様の見本画像を選択すれば、その被写体の撮影に適した撮影条件が自動的に設定でき、その撮影条件での撮影が可能となる。
【００４０】
一方、前記電子スチルカメラ１においては、使用者が必要に応じて、前述したＣＦカード２０のカスタム見本画像領域２０ｃに、外部から供給される複数の見本画像データ１０２を適宜記憶させることにより、当初は用意されていなかった見本画像を用いた撮影条件の設定が可能となる。例えば、図７に示すように、使用者は、必要に応じて電子スチルカメラ１からＣＦカード２０を取り外し（イ）、それをＣＦカード２０が使用可能なパーソナルコンピュータ（以下、パソコン）６０に挿着する（ロ）。次に、複数の見本画像データ１０２が予め記録された所定のＣＤ−ＲＯＭ７０をパソコン６０にセットするともとに、複数の見本画像データ１０２（画像データ）を表示させて所望するものを選択し、それを任意のファイル操作用のプログラムを用いてＣＦカード２０の所定のフォルダ（カスタム見本画像領域２０ｃ）にコピーする。しかる後、ＣＦカード２０をパソコン６０から取り外し（ハ）、再び電子スチルカメラ１に挿着する（ニ）。これにより、新たな見本画像データ１０２が電子スチルカメラ１に取り込まれ、新たな見本画像を用いた撮影条件の設定が可能となる。
【００４１】
また、前記電子スチルカメラ１においては、ＣＦカード２０が挿着された時点で、図８のフローチャートに示した以下の調整処理が行われる。なお、以下の説明では、前記ＣＤ−ＲＯＭ７０に記録されている見本画像データ１０２が異なる機種の電子スチルカメラ１に使用される汎用のデータであって、各見本画像データ１０２に含まれる選択用画像１２０においては、図９（ａ）に示したように、番号表示エリア１２０ｂにＣＤ−ＲＯＭ７０内でのシリアルナンバーが表示され、かつ操作ガイドエリア１２０ｅに何も表示されていないものを前提とする。
【００４２】
以下、説明すると、電子スチルカメラ１は、ＣＦカード２０が挿着されると（ステップＳＢ１でＹＥＳ）、前述したファイル名データ領域２０ｂに記憶されている全ファイル名を確認した後（ステップＳＢ２）、その内容と、その時点でシーン・フォルダ（カスタム見本画像領域２０ｃ）に記憶されている全ファイル名とを比較することにより、シーン・フォルダ内のデータ内容に変更があるか否かを判別する（ステップＳＢ３）。そして、変更がなければ、そのまま処理を終了する。
【００４３】
一方、変更があり、かつそれが新規のデータの追加のみであったときには、（ステップＳＢ３、ＳＢ４で共にＹＥＳ）、まず、ファイル名データ領域２０ｂに記憶されている全ファイル名の数に基づき、新規のデータが追加される以前にカスタム見本画像領域２０ｃに記憶されていた見本画像データ１０２に付けられていた連続番号の最後の番号を計算する（ステップＳＢ５）。具体的には、初期見本画像領域２０ａに記憶されている見本画像データ１０２の数に、新規のデータが追加される以前にカスタム見本画像領域２０ｃに記憶されていた見本画像の数を加え、最後の番号とする。次に、追加された１又は複数の見本画像データ１０２に対して、それに含まれる選択用画像１２０における番号表示エリア１２０ｂの番号を、計算した最後の番号に続く連続番号に書き換えるとともに、ＭＲＯＭ１８に記憶されている画像データであって、自機が有する前述した各種スイッチの構成に対応する操作ガイドデータを前記操作ガイドエリア１２０ｅに付加する加工処理を行う（ステップＳＢ６）。これにより、新たに追加された見本画像データ１０２に含まれる選択用画像１２０が、図９（ｂ）に示すように、初期見本画像領域２０ａに記憶されている見本画像データ１０２と同様の体裁を備えるとともに、それらに連続する番号（図示した例では「２３」）が付けられた状態となる。
【００４４】
また、ステップＳＢ４の判別結果がＮＯであった場合、つまりシーン・フォルダ内のデータ内容の変更がデータの削除を含むものであった場合には、その時点でカスタム見本画像領域２０ｃに記憶されている全ての見本画像データ１０２に対してステップＳＢ６と同様の処理を行う（ステップＳＢ７）。これにより、全ての見本画像データ１０２の番号に連続性を確保する。そして、ステップＳＢ６又はステップＳＢ７の後には、ファイル名データ領域２０ｂにおけるデータを更新し（ステップＳＢ８）、処理を終了する。
【００４５】
したがって、使用者が必要に応じてカスタム見本画像領域２０ｃに取り込んだ見本画像データ１０２と、それ以前にＣＦカード２０の初期見本画像領域２０ａに記憶されていた見本画像データ１０２との間に連続性及び統一性を確保することができる。また、カスタム見本画像領域２０ｃの見本画像データ１０２に増減があった場合にも、それを確保することができる。つまり、前述したシーンセレクトモードで、撮影者が見本画像を送り操作したとき、ＴＦＴ液晶モニター１５に表示される選択用画像１２０のシーン番号を連続した番号とすることができる。また、必要に応じて取り込んだものが表示された状態でも、見本画像初期状態で用意されていたものが表示された状態と同様の操作性を確保することができる。よって、撮影モードの設定時つまり見本画像の選択時に違和感を与えることなく、また良好な操作性を確保しつつ、見本画像の多様化を図ることが可能となる。
【００４６】
なお、本実施の形態においては、電子スチルカメラ１が、見本画像データ１０２を本体に着脱自在なＣＦカード２０を有する構成としたが、記憶データの書き換えが可能であれば、他の記憶媒体を電子スチルカメラ１に設け、それに見本画像データ１０２を記録させる構成としてもよい。また、それが電子スチルカメラ１の本体に固定されたものである場合には、電子スチルカメラ１に、パソコン６０等と赤外線やケーブルを用いた通信を可能とするデータ通信手段を別途設け、通信によって見本画像データ１０２をコピーする構成とすればよい。
【００４７】
さらに、本実施の形態では、電子スチルカメラ１がＣＦカード２０が挿着された時点で、前述した調整処理を行うことにより、シーンセレクトモードによる撮影モードの設定時に使用する複数の見本画像に連続性及び統一性が確保されるものを説明したが、前述した調整処理を、見本画像データ１０２をＣＦカード２０にコピーした時点でパソコン６０側に行わせる、つまりパソコン６０を本発明のデータ供給装置とするとともに、電子スチルカメラ１とパソコン６０とによって本発明のカメラシステムを構成させるようにしてもよい。その場合には、それに必要な所定のプログラムを、複数の見本画像データ１０２と共にＣＤ−ＲＯＭ７０によって使用者に提供すればよい。
【００４８】
（第２の実施の形態）
次に、本発明の第２の実施の形態について説明する。本実施の形態は、図１及び図２に示したものと同様の構成する有する電子スチルカメラにおいて、前述した調整処理に代えて、シーンセレクトモードが選択されたとき、図１０のフローチャートに示した動作を行わせるものである。以下の説明では、ＣＦカード２０に前記ファイル名データ領域２０ｂが確保されておらず、また、そのカスタム見本画像領域２０ｃには、第１の実施の形態と同様の手順で複数の見本画像データ１０２が記憶されているものとする。
【００４９】
すなわち、本実施の形態の電子スチルカメラにおいても、シーンセレクトモードが選択されると（ステップＳＣ１でＹＥＳ）、ＣＦカード２０の前述した初期見本画像領域２０ａの見本画像データ１０２に基づく選択画面をＴＦＴ液晶モニター１５に表示する（ステップＳＣ２）。次に、使用者が所定の選択ボタン（ズームボタン５４の［＋］と［−］）による見本画像の送り操作があったか否かを判別する（ステップＳＣ３）。ここで、送り操作がなければ、引き続きシャッターキー５３の押下によりその時点における見本画像が選択されたか否かを判別し（ステップＳＣ１０）、選択されていなければステップＳＣ３へ戻る。
【００５０】
また、ステップＳＣ３で送り操作があると（ステップＳＣ３でＹＥＳ）、次に表示する選択画面のデータ（送り操作が昇順の場合には、次のシーン番号のデータであり、送り操作が降順の場合には、前のシーン番号のデータである）が、ＣＦカード２０の前記カスタム見本画像領域２０ｃに記憶されている見本画像データ１０２、すなわち使用者によって事前に取り込まれたデータであるか否かを判別する（ステップＳＣ４）。かかる判別の結果がＮＯのときには、そのまま初期見本画像領域２０ａの次の見本画像データ１０２に基づく選択画面を表示し（ステップＳＣ５）、ステップＳＣ３へ戻る。
【００５１】
一方、送り操作が繰り返される間にステップＳＣ４の判別結果がＹＥＳになると、まず次の見本画像データ１０２におけるＣＦカード２０内での順番を確認する（ステップＳＣ６）。なお、カスタム見本画像領域２０ｃに記憶されている見本画像データ１０２におけるＣＦカード２０内での順番は、例えばファイル名順である。なお、それが追加された日付データが存在する場合には追加順でもよい。しかる後、カスタム見本画像領域２０ｃに記憶されている見本画像データ１０２に対して、それに含まれる選択用画像１２０における番号表示エリア１２０ｂの番号を、ステップＳＣ６で確認した順番の連続番号に書き換えるとともに、ＭＲＯＭ１８に記憶されている画像データであって、自機が有する前述した各種スイッチの構成に対応する操作ガイドデータを前記操作ガイドエリア１２０ｅに付加する加工処理を行い（ステップＳＣ７）、加工後の選択用画像１２０をＴＦＴ液晶モニター１５に表示する（ステップＳＣ８）。
【００５２】
これにより、使用者が必要に応じてカスタム見本画像領域２０ｃに取り込んだ見本画像データ１０２と、それ以前にＣＦカード２０の初期見本画像領域２０ａに記憶されていた見本画像データ１０２との間に連続性及び統一性を確保することができる。
【００５３】
そして、以上の処理を繰り返す間に、シャッターキー５３（決定キー）が押下され、いずれかの見本画像が選択されたら（ステップＳＣ９でＹＥＳ）、表示中の選択用画像１２０（選択画面データ１１１）と共に見本画像データ１０２を構成する前記撮影条件データ１１２に基づき、電子スチルカメラ１における撮影時の撮影条件を設定し、撮影待機状態となり（ステップＳＣ１０）、シャッターキー５３が押下されたら（ステップＳＣ１１でＹＥＳ）、画像データを取り込み、取り込んだ画像データをＣＦカード２０の撮影画像データ領域２０ｄに記録する（ステップＳＣ１２）。
【００５４】
以上のように、本実施の形態においても、使用者が必要に応じてカスタム見本画像領域２０ｃに取り込んだ見本画像データ１０２と、それ以前にＣＦカード２０の初期見本画像領域２０ａに記憶されていた見本画像データ１０２との間に連続性及び統一性を確保することができることから、撮影モードの設定時つまり見本画像の選択時に違和感を与えることなく、また良好な操作性を確保しつつ、見本画像の多様化を図ることが可能となる。
【００５５】
なお、前述した第１及び第２の実施の形態においては、見本画像データ１０２がＪＰＥＧ形式の画像データであり、選択画面データ１１１と、それに付加されている複数の撮影条件データ１１２とから構成されている場合について説明したが、それらは選択画面データ１１１とは別のデータとしてＣＤ−ＲＯＭ７０に記録されていたり、ＣＦカード２０に記憶されたりする構成であっても構わない。さらに、選択画面データ１１１に、選択用画像１２０の見本画像エリア１２０ａ、番号表示エリア１２０ｂ、タイトルエリア１２０ｃ、コメントエリア１２０ｄ、操作ガイドエリア１２０ｅを構成するデータが一括して含まれる場合を示したが、各エリア１２０ａ〜１２０ｅの表示内容を、選択画面データ１１１とは別の文字データとして用意しておき、必要に応じて選択用画像１２０に合成させるようにしてもよい。
【図面の簡単な説明】
【００５６】
【図１】本発明の第１の実施の形態に係る電子スチルカメラの外観を示す図である。
【図２】同電子スチルカメラのブロック構成図である。
【図３】ＣＦカードにおけるデータ格納構造を示す概念図である。
【図４】見本画像を含む選択用画像を示す図である。
【図５】電子スチルカメラにおけるシーンセレクトモードの選択時の動作を示すフローチャートである。
【図６】シーンセレクトモードでＴＦＴ液晶モニターに表示する選択画面、及びその変化を示す図である。
【図７】使用者によるパーソナルコンピュータを用いた見本画像の取り込み作業の手順を示す説明図である。
【図８】電子スチルカメラが実行する見本画像データの調整処理に係る動作を示すフローチャートである。
【図９】同調整処理の内容を示す図であって、（ａ）は調整前における見本画像データの内容の説明図、（ｂ）は調整後における見本画像データの内容の説明図である。
【図１０】本発明の第２の実施の形態に係る電子スチルカメラにおけるシーンセレクトモードの選択時の動作を示すフローチャートである。
【符号の説明】
【００５７】
１  電子スチルカメラ
２  ＣＣＤ
３  ＭＰＵ
１７  ＤＲＡＭ
１８  ＭＲＯＭ
２０  ＣＦカード
２０ａ  初期見本画像領域
２０ｂ  ファイル名データ領域
２０ｃ  カスタム見本画像領域
６０  パソコン
７０  ＣＤ−ＲＯＭ
１０２  見本画像データ
１１１  選択画面データ
１２０  選択用画像
１２０ａ  見本画像エリア
１２０ｂ  番号表示エリア
１２０ｅ  操作ガイドエリア
【図１】
2005039862.tif 000003
【図２】
2005039862.tif 000004
【図３】
2005039862.tif 000005
【図４】
2005039862.tif 000006
【図５】
2005039862.tif 000007
【図６】
2005039862.tif 000008
【図７】
2005039862.tif 000009
【図８】
2005039862.tif 000010
【図９】
2005039862.tif 000011
【図１０】
2005039862.tif 000012